(57)【要約】【課題】  差動信号の伝送に用いられるフレキシブル配線板において、当該フレキシブル配線板の幅を狭くし、厚さを薄くするとともに、配線間のクロストークを防止する。【解決手段】  絶縁フィルム２上に形成する各配線の配列のうち、差動データ信号を伝送する差動データ線５と、差動クロック信号を伝送する差動クロック線７との間に、グラウンド線６を配置する。【選択図】  図１
2006041193.tif 000002
【特許請求の範囲】
【請求項１】
絶縁フィルム上に、差動信号を伝送する第１配線と、上記差動信号と同時に変化する信号を伝送する第２配線と、上記第１配線および第２配線によって伝送される信号よりも変化の頻度が低い信号を伝送する第３配線と、を含む配線層が形成されてなるフレキシブル配線板であって、
上記第３配線が、上記第１配線と上記第２配線の間に形成されていることを特徴とするフレキシブル配線板。
【請求項２】
上記フレキシブル配線板に含まれる導体層が、上記配線層のみであることを特徴とする請求項１に記載のフレキシブル配線板。
【請求項３】
上記第３配線は、グラウンドに接続されるグラウンド線であることを特徴とする請求項項１または２に記載のフレキシブル基板。
【請求項４】
上記第３配線は、電力を伝送する電源線、または、リセット信号を伝送するリセット線であることを特徴とする請求項１または２に記載のフレキシブル基板。
【請求項５】
上記第２配線によって伝送される信号は、上記第１配線によって伝送される差動信号と異なる他の差動信号、または、デジタル信号であることを特徴とする請求項１または２に記載のフレキシブル配線板。
【請求項６】
請求項１〜５のいずれか１項に記載のフレキシブル配線板を備えてなる電子機器。
【請求項７】
本体と、当該本体に対して位置または角度が相対的に変化する駆動部とを備え、
上記本体および上記駆動部にそれぞれ備えられた電子部品を、上記フレキシブル配線板によって接続していることを特徴とする請求項６に記載の電子機器。
【請求項８】
絶縁フィルム上に、差動信号を伝送する第１配線と、上記差動信号と同時に変化する信号を伝送する第２配線と、上記第１配線および第２配線によって伝送される信号よりも変化の頻度が低い信号を伝送する第３配線と、を含む配線層が形成されてなるフレキシブル配線板における配線配置方法であって、
上記第３配線を、上記第１配線と上記第２配線の間に配置することを特徴とする配線配置方法。
【発明の詳細な説明】
【技術分野】
【０００１】
本発明は、電子機器における電子部品間の信号伝送に用いられるフレキシブル配線板、当該フレキシブル配線板を用いた電子機器、当該フレキシブル配線板における配線配置方法に関するものである。
【背景技術】
【０００２】
従来より、ポリイミドやポリエステルなどの高分子からなる可撓性の絶縁フィルム上に配線パターンを形成したフレキシブル配線板（ＦＰＣ；Flexible Printed Circuit board）が、各種電子機器における回路基板間の接続に用いられている。
【０００３】
フレキシブル配線板は可撓性（柔軟性）を有しているので、実装時の自由度が大きく、また、実装面積を小さくできるなどの利点があり、電子機器の小型化、高密度化に適している。
【０００４】
ところで、フレキシブル配線板では、信号線間のクロストークや電磁波ノイズを防止する必要がある。特に、近年では、伝送する信号の高速化（高周波数化）が図られており、高速の信号を伝送する高速信号線と、他の信号線との間に生じるクロストークや電磁波ノイズ（ＥＭＩ（ElectroMagnetic Interference）ノイズ）を防止することが重要である。
【０００５】
このため、従来、信号線が形成される層の裏面にグラウンド層（ガードグラウンド）を配置したり、クロック信号などの高速信号線の両隣にグラウンド線（ガードグラウンド）を配置することによって高速信号線をガードし、クロストークや電磁波ノイズの抑制が図られている。また、各配線間の間隔、および、各配線とグラウンド層との間隔を調整することによってインピーダンスマッチングが行い、クロストークや電磁波ノイズの抑制が図られている。
【０００６】
また、例えば高精細の液晶表示や動画表示などを行う電子機器では、データ量の増加に伴う電磁波ノイズを低減するために、従来のパラレル伝送に代えて、差動シリアル伝送方式を採用しているものもある。
【０００７】
図７は、高速差動シリアル伝送を行うための従来の一般的なフレキシブル配線板である、フレキシブル配線板１００の概略構成を示す断面図である。この図に示すように、フレキシブル配線板１００は、可撓性の絶縁フィルム１０１と、絶縁フィルム１０１上に形成されたグラウンド（ＧＮＤ）線１０２、差動データ（Ｄ＋）線１０３、差動データ（Ｄ−）線１０４、グラウンド（ＧＮＤ）線１０５、差動クロック（ＣＫ＋）線１０６、差動クロック（ＣＫ−）線１０７、グラウンド（ＧＮＤ）線１０８からなる配線層と、絶縁フィルム１０１における配線層とは反対側の面に設けられたグラウンド（ＧＮＤ）層１０９とを備えている。
【０００８】
グラウンド線１０２および１０８は、断面の両端側にそれぞれ配置されている。また、データ線１０３と１０４、および、クロック線１０６と１０７は、それぞれ互いに隣接しており、データ線１０４とクロック線１０６との間にグラウンド線１０５が備えられている。これにより、グラウンド線１０２，１０８やグラウンド層１０９によって外部からの静電気や電磁波によるノイズを防止し、また、グラウンド線１０５によってデータ線１０４とクロック線１０６との間にクロストークが生じることを防止している。
【０００９】
また、フレキシブル配線板１００では、各配線の間隔を調整することによって、インピーダンスマッチングが行われている。つまり、図７に示すように、フレキシブル配線板１００では、各配線の間隔をインピーダンスが整合するように調整しており、この結果、データ線１０３と１０４との間隔およびクロック線１０６と１０７との間隔が比較的狭く、データ線１０３,１０４およびクロック線１０６，１０７と各グラウンド線１０２，１０５,１０８との間隔が比較的広くなっている。
【００１０】
また、例えば特許文献１では、信号線が形成される層の裏面に配置されたグラウンド層に接続されるグラウンド線と、上記グラウンド層に接続されていない独立したグラウンド線とを、両グラウンド線が隣り合い、高速信号線が上記独立したグラウンド線と隣り合って上記グラウンド層に接続されたグラウンド線とは隣り合わないように配置することが記載されている。
【特許文献１】特開２００２−１１７７２６号公報（２００２年４月１９日公開）
【発明の開示】
【発明が解決しようとする課題】
【００１１】
近年、例えば携帯電話などの電子機器では、キー操作部などを備えた本体部材と、表示画面などを備えた本体蓋部材とを、回転ヒンジ部（回転駆動部）を介して回転駆動することによって折り畳み可能とした、折り畳み式の携帯電話が実現されている。さらに、このような折り畳み式の携帯電話において、本体蓋部材の一部を、折り畳みのための回転方向と直交する方向に回転可能とした携帯電話も実現されている。
【００１２】
このような回転駆動部を有する電子機器において、本体側に備えられる回路基板と被駆動側の部材に備えられる回路基板とを、回転駆動部を介して接続するフレキシブル配線板は、回転駆動に対応できる柔軟性と、繰り返しの回転動作に対する耐久性とを有する必要がある。特に、上記したような複数方向に回転駆動するための複数の回転駆動部に備えられるフレキシブル配線板においては、厚さ方向への変形に対する柔軟性,耐久性に加えて、幅方向への変形（捩れ）に対する柔軟性,耐久性が要求される。
【００１３】
しかしながら、上記従来の技術では、電磁波ノイズやクロストークを防止するために、グラウンド層を配置したり、多数のグラウンド線を配置する必要があり、フレキシブル配線板の厚さを薄くし、幅を狭くすることが困難である。すなわち、上記従来の技術では、グラウンド層や多数のグラウンド線を設けたり、配線間隔を調整してインピーダンスマッチングを行うことができないサイズ（厚さおよび幅）のフレキシブル配線板において、クロストークや電磁波ノイズの影響を防止することができない。
【００１４】
また、このように厚さが薄く、幅が狭いサイズのフレキシブル配線板において、電磁波ノイズの影響を低減するために、差動シリアル信号を用いた伝送方式を採用することが考えられるが、この場合には、配線間のクロストークが問題になる。例えば、フレキシブル配線板上で生じるクロストークによって差動クロック信号の片側の信号のみがノイズを生じた場合、誤作動を生じる可能性がある。
【００１５】
図８は、グラウンド層を設けることも、複数のグラウンド線を設けることもできない場合の、差動シリアル信号の伝送に用いられるフレキシブル配線板２００の構成を示す断面図である。この図に示すフレキシブル配線板２００は、可撓性の絶縁フィルム２０１上に、電源（ＶＤＤ）線２０２、差動データ（Ｄ−）線２０３、差動データ（Ｄ＋）線２０４、差動クロック（ＣＫ−）線２０５、差動クロック（ＣＫ＋）線２０６、グラウンド線２０７（ＧＮＤ）からなる１層の配線層を備えた、片面フレキシブル配線板である。
【００１６】
図９は、フレキシブル配線板２００によって伝送される信号のタイミングチャートである。この図において、ＣＫ−,ＣＫ＋は差動クロック線２０５，２０６によって伝送される差動クロック信号を表し、Ｄ−,Ｄ＋は差動データ線２０３，２０４によって伝送される差動データ信号を表している。また、ＣＫは、受信側の回路で再現されるクロック信号（再現デジタルクロック信号）、Ｄは受信側の回路で再現されるデータ信号（再現デジタルデータ信号）を表している。
【００１７】
図８に示したように、フレキシブル配線板２００では、差動データ線２０４と差動クロック線２０５とが隣接して配置されているので、両者の間にクロストークが生じる。図９における破線は、このクロストークの影響を示している。この図に示す例では、差動クロック線２０５を介して伝送される差動クロック信号ＣＫ−に、差動データ線２０４を介して伝送される差動データ信号Ｄ＋とのクロストークによるノイズが生じている。すなわち、差動クロック信号ＣＫ−の立ち上がり時に、それと同時に伝送されている差動データ信号Ｄ＋の立ち下がりによるノイズが乗っており、差動クロック信号ＣＫ−と差動クロック信号ＣＫ＋との大小関係が本来の信号とは逆になっている。
【００１８】
その結果、再現クロック信号ＣＫは、ノイズの影響を受けた波形となっている。すなわち、再現クロック信号ＣＫにグリッジが生じており、再現クロック信号ＣＫにノイズによる立ち上がりが生じている。このため、受信側回路において再現クロック信号ＣＫの立ち上がりで再現データ信号Ｄをラッチする（再現データ信号Ｄを再現クロック信号ＣＫの立ち上がりがあるまで保持する）場合、同じデータを２度ラッチしてしまうことになり、受信側回路に誤動作が生じてしまう。
【００１９】
本発明は、上記の問題点に鑑みてなされたものであり、その目的は、差動信号の伝送に用いられるフレキシブル配線板において、当該フレキシブル配線板の幅を狭くし、厚さを薄くするとともに、配線間のクロストークを防止したフレキシブル配線板、それを用いた電子機器、ならびに配線配置方法を提供することにある。
【課題を解決するための手段】
【００２０】
上記の課題を解決するために、本発明のフレキシブル配線板は、絶縁フィルム上に、差動信号を伝送する第１配線と、上記差動信号と同時に変化する信号を伝送する第２配線と、上記第１配線および第２配線によって伝送される信号よりも変化の頻度が低い信号を伝送する第３配線と、を含む配線層が形成されてなるフレキシブル配線板であって、上記第３配線が、上記第１配線と上記第２配線の間に形成されていることを特徴としている。
【００２１】
上記の構成によれば、第１配線および第２配線によって伝送される信号よりも変化の頻度が低い信号を伝送する第３配線を、第１配線と第２配線の間に形成しているので、第１配線と第２配線の間にクロストークが生じることを防止できる。
【００２２】
このため、第３配線を形成する位置を、第１配線と第２配線の間にするだけで、クロストークを防止するための構成を他に付加したり、配線間隔を広げてインピーダンスマッチングを行ったりすることなく、第１配線と第２配線の間に生じるクロストークを防止できる。
【００２３】
したがって、差動信号の伝送に用いられるフレキシブル配線板において、当該フレキシブル配線板の幅を狭くし、厚さを薄くするとともに、配線間のクロストークを防止することができる。
【００２４】
また、上記フレキシブル配線板に含まれる導体層が、上記配線層のみであってもよい。
【００２５】
この場合、第１配線および第２配線によって伝送される信号よりも変化の頻度が低い信号を伝送する第３配線を、第１配線と第２配線の間に形成しているので、例えばグラウンド層などの配線層以外の導体層を備えていなくても、第１配線と第２配線の間にクロストークが生じることを防止できる。
【００２６】
したがって、差動信号の伝送に用いられるフレキシブル配線板において、当該フレキシブル配線板の厚さを薄くするとともに、配線間のクロストークを防止したフレキシブル配線板を実現できる。
【００２７】
また、上記第３配線は、グラウンドに接続されるグラウンド線であってもよい。
【００２８】
この場合、上記第１配線と第２配線との間にグラウンド線を配置するだけで、第１配線と第２配線の間にクロストークが生じることを防止できる。このため、クロストークを防止するために多数のグラウンド線を付加したり、配線間隔を広げてインピーダンスマッチングを行ったりすることなく、第１配線と第２配線の間に生じるクロストークを防止できる。したがって、差動信号の伝送に用いられるフレキシブル配線板において、当該フレキシブル配線板の幅を狭くするとともに、配線間のクロストークを防止したフレキシブル配線板を実現できる。
【００２９】
また、上記第３配線は、電力を伝送する電源線、または、リセット信号を伝送するリセット線であってもよい。
【００３０】
この場合、上記第１配線と第２配線との間に電源線またはリセット線を配置するだけで、第１配線と第２配線の間にクロストークが生じることを防止できる。このため、クロストークを防止するためにグラウンド線を付加したり、配線間隔を広げてインピーダンスマッチングを行ったりすることなく、第１配線と第２配線の間に生じるクロストークを防止できる。したがって、差動信号の伝送に用いられるフレキシブル配線板において、当該フレキシブル配線板の幅を狭くするとともに、配線間のクロストークを防止したフレキシブル配線板を実現できる。
【００３１】
また、上記第２配線によって伝送される信号は、上記第１配線によって伝送される差動信号と異なる他の差動信号、または、デジタル信号であってもよい。
【００３２】
第２配線によって伝送される信号が、第１配線によって伝送される差動信号と同時に変化する、他の差動信号またはデジタル信号である場合、第１配線と第２配線とを隣接して配置すると、両者の間でクロストークが生じる可能性がある。これに対して、上記の構成によれば、第１配線と第２配線の間に、上記第３配線を形成しているので、第１配線と第２配線の間にクロストークが生じることを防止できる。
【００３３】
本発明の電子機器は、上記したいずれかのフレキシブル配線板を備えている。
【００３４】
上記の構成の電子機器は、幅が狭く、厚さが薄いフレキシブル配線板であって、配線間のクロストークを防止したフレキシブル配線板を用いている。したがって、電子機器内の内部配線を高密度化するとともに、クロストークによる誤動作を防止した電子機器を実現できる。これにより、電子機器の小型化、高機能化を図ることができる。また、電子機器のサイズを増大させることなく、大容量のデータ伝送を行うことが可能となる。
【００３５】
また、本発明の電子機器は、本体と、当該本体に対して位置または角度が相対的に変化する駆動部とを備え、上記本体および上記駆動部にそれぞれ備えられた電子部品を、上記フレキシブル配線板によって接続している構成としてもよい。
【００３６】
上記の構成によれば、幅が狭く、厚さが薄いフレキシブル配線板であって、配線間のクロストークを防止したフレキシブル配線板によって、電子機器の本体側に備えられた電子部品と、駆動部側に備えられた電子部品とを接続している。したがって、上記駆動部の駆動に追従する可撓性と、上記駆動部の繰り返しの駆動に対する耐久性とを有するフレキシブル配線板を用いて、電子機器の本体側に備えられた電子部品と、駆動部側に備えられた電子部品とを信号伝送可能に接続することができ、また、誤動作を防止した高機能な電子機器を実現できる。
【００３７】
本発明の配線配置方法は、上記の課題を解決するために、絶縁フィルム上に、差動信号を伝送する第１配線と、上記差動信号と同時に変化する信号を伝送する第２配線と、上記第１配線および第２配線によって伝送される信号よりも変化の頻度が低い信号を伝送する第３配線と、を含む配線層が形成されてなるフレキシブル配線板における配線配置方法であって、上記第３配線を、上記第１配線と上記第２配線の間に配置することを特徴としている。
【００３８】
上記の方法によれば、第１配線および第２配線によって伝送される信号よりも変化の頻度が低い信号を伝送する第３配線を、第１配線と第２配線の間に配置しているので、第１配線と第２配線の間にクロストークが生じることを防止できる。
【００３９】
このため、第３配線を、第１配線と第２配線の間に配置するだけで、クロストークを防止するための構成を他に付加したり、配線間隔を広げてインピーダンスマッチングを行ったりすることなく、第１配線と第２配線の間に生じるクロストークを防止できる。
【００４０】
したがって、差動信号の伝送に用いられるフレキシブル配線板において、当該フレキシブル配線板の幅を狭くし、厚さを薄くするとともに、配線間のクロストークを防止することができる。
【発明の効果】
【００４１】
以上のように、本発明の本発明のフレキシブル配線板は、第１配線および第２配線によって伝送される信号よりも変化の頻度が低い信号を伝送する第３配線を、第１配線と第２配線の間に形成している。
【００４２】
それゆえ、第３配線を形成する位置を第１配線と第２配線の間にするだけで、クロストークを防止するための構成を他に付加したり、配線間隔を広げてインピーダンスマッチングを行ったりすることなく、第１配線と第２配線の間に生じるクロストークを防止できる。
【００４３】
したがって、差動信号の伝送に用いられるフレキシブル配線板において、当該フレキシブル配線板の幅を狭くし、厚さを薄くするとともに、配線間のクロストークを防止したフレキシブル配線板を実現できる。
【００４４】
本発明の電子機器は、上記したいずれかのフレキシブル配線板を備えている。
【００４５】
それゆえ、電子機器内の内部配線を高密度化するとともに、クロストークによる誤動作を防止した電子機器を実現できる。これにより、電子機器の小型化、高機能化を図ることができる。また、電子機器のサイズを増大させることなく、大容量のデータ伝送を行うことが可能となる。
【００４６】
本発明の配線配置方法は、第１配線および第２配線によって伝送される信号よりも変化の頻度が低い信号を伝送する第３配線を、第１配線と第２配線の間に配置する。
【００４７】
この場合、第３配線を第１配線と第２配線の間に配置するだけで、クロストークを防止するための構成を他に付加したり、配線間隔を広げてインピーダンスマッチングを行ったりすることなく、第１配線と第２配線の間に生じるクロストークを防止できる。
【００４８】
したがって、差動信号の伝送に用いられるフレキシブル配線板において、当該フレキシブル配線板の幅を狭くし、厚さを薄くするとともに、配線間のクロストークを防止したフレキシブル配線板を実現できる。
【発明を実施するための最良の形態】
【００４９】
本発明の一実施形態について説明する。図２（ａ）〜図２（ｅ）は、本実施形態にかかるフレキシブル配線板１を備えた携帯電話（折り畳み式携帯電話）１０の斜視図である。本実施形態にかかるフレキシブル配線板１は、携帯電話１０の駆動部に設置され、差動シリアル信号の伝送を行うものである。
【００５０】
なお、フレキシブル配線板１は、ヒンジ部１３の駆動に適切に追従する可撓性（柔軟性）と、繰り返しの駆動に対する耐久性とを有するように、幅が狭く、厚さが薄く形成されている。また、フレキシブル配線板１は、配線層以外にグラウンド層（グラウンド電位となるグラウンド層（導体層）や、電源の供給のための広い面積の導体層）を備えない、片面フレキシブル配線板であって、幅を狭くするために配線層に設置するグラウンド線の数が制限され、各配線間の間隔を短くするためにインピーダンスマッチングが行われていないにもかかわらず、配線間のクロストークによる誤動作が防止された構造になっている。
【００５１】
図２（ａ）は携帯電話１０を閉じた状態（折り畳んだ状態）の斜視図である。この図に示すように、携帯電話１０は、本体１１、本体蓋部（駆動部）１２、ヒンジ部（駆動部）１３を備えている。また、本体１１には各種操作キー１４が備えられており、本体蓋部１２には液晶表示画面１５が備えられている。
【００５２】
また、携帯電話１０は、本体蓋部１２に図２（ａ）に示した矢印方向の力を加えることにより、ヒンジ部１３を軸として本体１１と本体蓋部１２とを相対的に回転させて開くことができる。図２（ｂ）は、この開動作によって携帯電話１０を開いた状態を示す斜視図である。なお、逆方向に回転させることにより、携帯電話１０を閉じる閉動作を行うことができる。
【００５３】
また、携帯電話１０は、本体蓋部１２を、本体１１およびヒンジ部１３に対して、上記開閉動作の回転軸と直交する方向を軸として１８０度回転させることができる。図２（ｃ）は、この回転動作によって、本体蓋部１２を回転させている状態を示す斜視図である。また、図２（ｄ）は、この回転動作によって本体蓋部１２を１８０度回転させた状態を示す斜視図である。
【００５４】
さらに、携帯電話１０は、図２（ｄ）のように本体蓋部１２を、本体１１と本体蓋部１２との開閉方向に直交する方向に１８０度回転させた状態で、上記開閉動作を行うこともできる。つまり、本体蓋部１２を図２（ｄ）の矢印方向に回転させることにより、図２（ｅ）に示すように、液晶表示画面１５が外側を向いた状態となるように携帯電話１０を閉じることができる。
【００５５】
図３は、本体１１の内部に備えられている制御回路基板１６、本体蓋部１２の内部に備えられている表示制御回路基板１７、制御回路基板１６と表示制御回路基板１７とを接続するフレキシブル配線板１を模式的に示した透視斜視図である。制御回路基板１６は、携帯電話１０における全ての動作を制御するための回路を備えた回路基板である。表示制御回路基板１７は、液晶表示画面１５の表示状態を制御する回路を備えた回路基板である。フレキシブル配線板１は、上記開閉動作のための回転軸（図示せず）、および、上記開閉方向に直交する方向に回転するための回転軸（図示せず）に巻き付けるように備えられており、これらの回転軸を介して制御回路基板１６と表示制御回路基板１７とを接続し、両回路基板間での信号伝送を可能としている。
【００５６】
図４は、フレキシブル配線板１を展開した状態を示す平面図である。この図に示すように、フレキシブル配線板１は、細長い形状からなり、回路配置や各回転軸の位置・形状などを考慮した携帯電話１０への搭載時の状態に応じた平面形状に形成されている。そして、このような平面形状からなるフレキシブル配線板１を図３に示したように各回転軸に巻きつけるようにして携帯電話１０に設置することにより、携帯電話１０の開閉・回転動作に追従できるようになっている。より詳細には、図４に示したＡ−Ａ’面でフレキシブル配線板１を２つ折りにして重ねた状態で各回転軸に巻きつけ、フレキシブル配線板１の中央付近に形成された大きいコネクタ接続部３０と、フレキシブル配線板１の両端に形成された２つの小さいコネクタ接続部３１，３２の、３箇所を回路基板側のコネクタに接続するようになっている。
【００５７】
なお、各回転軸に巻きつけるように設置し、また、開閉動作および回転動作に対する追従性、これらの動作の繰り返しに対する耐久性を備えるためには、フレキシブル配線板１の幅を狭くし、厚さを薄くすることが好ましい。
【００５８】
図５は、図４に示したフレキシブル配線板１の一部を拡大した平面図である。この図に示すように、フレキシブル配線板１には、絶縁フィルム２上に、多数の配線３，４，５,・・・からなる配線層が形成されている。また、各配線の端部には回路基板と接続するための端子（エッジコネクタ端子、コネクタ接続部）が形成されている。そして、この端子を、回路基板側に備えられたメス型のソケット端子（コネクタ）に嵌合させることにより、フレキシブル配線板１を回路基板とを電気的に接合させるようになっている。
【００５９】
なお、フレキシブル配線板１の最小幅は４ｍｍとなっており、この幅内に１６本または１７本の配線が設けられている。すなわち、フレキシブル配線板１は、上記のように２つ折りにした一方の部分に１６本の配線が形成されており、他方の部分に１７本の配線が形成されている。
【００６０】
また、フレキシブル配線板１では、幅を狭くするために、配線層に備えられるグラウンド線の本数を６本とし、配線の総数を削減して幅の低減を図っている。このため、フレキシブル配線板１では、差動シリアル信号やデジタル信号などの同時に変化する可能性のある信号の伝送に用いられる配線の数よりも、グラウンド線の数を少なくなっている。
【００６１】
図１は、フレキシブル配線板１のＤ−Ｄ’断面（図５参照）の一部を示す断面図である。この図に示すように、フレキシブル配線板１には、絶縁フィルム２の一端側から順に、電源（ＶＤＤ）線３、差動データ（Ｄ−）線４、差動データ（Ｄ＋）線５、グラウンド（ＧＮＤ）線６、差動クロック（ＣＫ−）線７、差動クロック（ＣＫ＋）線８が備えられている。なお、差動データ線４と５、および、差動クロック線７と８の各差動ペアには、振幅が同じで位相が１８０度異なる一対の差動信号（差動データ信号Ｄ−とＤ＋、および、差動クロック信号ＣＫ−とＣＫ＋）がそれぞれ伝送されている。
【００６２】
絶縁フィルム２は、ポリイミドからなる。ただし、絶縁フィルム２の材質はこれに限るものではない。各配線（導体）３〜８を支持する適度な強度と、湾曲、屈折、捩れ等の変形に対する可撓性（柔軟性）およびこれらの変形の繰り返しに対する耐久性を有する材質であればよく、例えば、ポリエステルなどの他の高分子からなるものであってもよい。
【００６３】
各配線３〜８は、銅（銅箔）で形成されている。ただし、これに限らず、例えばタングステン，モリブデン，銀，パラジウムなどの他の導電性金属を用いてもよい。ただし、繰り返しの湾曲や屈曲に対する耐久性を有する材料を用いることが好ましい。
【００６４】
なお、フレキシブル配線板１は、幅を狭くするため、すなわち、４ｍｍの幅に１６〜１７本の配線を設けるために、各配線の幅を８０〜２００μｍ、各配線間の間隔（導体間隙）を９０μｍ以下としている。また、フレキシブル配線板１では、このような狭い配線間の間隔を実現するために、各配線のインピーダンスマッチングを行っていない。
【００６５】
また、フレキシブル配線板１の厚さは４３μｍとなっている。フレキシブル配線板１では、このような薄い厚さとするとともに、配線を構成する銅箔の湾曲・屈折時の変形（伸び縮み）量を低減して金属疲労による断線を防止するために、絶縁フィルム（絶縁基板）２上の片面にのみ配線層（胴体パターン）が形成された片面フレキシブル配線板となっており、グラウンド層を備えない構成となっている。
【００６６】
このように、各配線のインピーダンスマッチングを行わず、また、グラウンド層（ガードグラウンド）を備えず、グラウンド線の本数を同時に変化する可能性のある信号（差動信号やデジタル信号など）の伝送に用いられる配線の数よりも少なくする場合、同時に変化する可能性のある信号を伝送する配線同士を隣接させると、これらの配線間でクロストークが生じる場合がある。例えば、上記した図８のように、差動データ（Ｄ＋）線２０４と差動クロック（ＣＫ−）線２０５とを隣接させると、図９に示したような誤動作を起こしてしまう。
【００６７】
そこで、フレキシブル配線板１では、差動データ線５と差動クロック線７の間に、グラウンド線６を配置している。これにより、両配線間に生じるクロストークおよびそれに伴う誤動作を防止できる。
【００６８】
以上のように、本実施形態にかかるフレキシブル配線板１は、差動シリアル信号を伝送する、グラウンド層を備えない、片面フレキシブル配線板であって、異なる情報の差動信号を伝送する配線（差動データ線５と差動クロック線７）、すなわち異なる差動ペアの配線の間に、グラウンド線６を配置している。
【００６９】
これにより、差動データ線５と差動クロック線７の間にクロストークが生じることを防止し、クロストークによる誤動作を防止できる。また、フレキシブル配線板１の構造を変えることなく、クロストークによる誤動作を防止できる。
【００７０】
なお、フレキシブル配線板１では、差動データ線５と差動クロック線７の間にグラウンド線６を配置しているが、差動データ線５と差動クロック線７の間に配置する配線はこれに限るものではない。差動データ線５および差動クロック線７よりもインピーダンスが低く、変化の少ない信号を伝送する配線であれば、グラウンド線６を配置する場合と略同様の効果を得ることができる。例えば、図６に示すように、差動データ線５と差動クロック線７の間に電源線（第３配線）３を配置してもよい。また、フレキシブル配線板１がリセット信号を伝送するリセット線（第３配線、図示せず）を含む場合には、リセット線を配置してもよい。
【００７１】
また、本実施形態では、図１に示したように、差動データ線５と差動クロック線７とが、間にグラウンド線６（インピーダンスが低く、変化の少ない信号を伝送する配線）を挟んで隣接する構成について説明したが、フレキシブル配線板１の配線配置はこれに限るものではない。一対の差動信号を伝送する配線同士、つまり、差動データ線４と５、および、差動クロック線７と８、がそれぞれ隣接しており、差動データ線４または５と差動クロック線７または８とが、グラウンド線６を挟んで隣接する配置としてもよい。この場合にも、図１に示した構成と略同様の効果が得られる。
【００７２】
また、本実施形態では、差動データ線５と差動クロック線７との間に生じるクロストークを防止する構成について説明したが、クロストークを防止する対象はこれに限るものではない。例えば、差動データ線５と差動クロック線７に限らず、他の差動信号を伝送する配線と、それと異なる他の同時に変化する信号（デジタル信号あるいは差動信号）を伝送する配線との間におけるクロストークを防止するように、クロストークを防止する配線同士の間に、これらの配線よりもインピーダンスが低く、変化の少ない信号を伝送する配線を配置するようにしてもよい。
【００７３】
また、本実施形態では、フレキシブル配線板１の最小幅を４ｍｍとし、この幅内に１６〜１７本の配線が形成されている例を説明しているが、フレキシブル配線板１の幅および配線数はこれに限るものではない。ただし、本発明は、フレキシブル配線板１の幅を薄くするためにグラウンド線の数を削減する必要があり、また、インピーダンスマッチングを行うことができない場合に特に適しており、例えば、幅１ｍｍあたり５本以上の配線を設ける場合、あるいは各配線の配線間隔を２００μｍ以下にする場合に特に適している。
【００７４】
また、本実施形態では、フレキシブル配線板１の厚さを４３μｍとしているが、フレキシブル配線板１の厚さはこれに限るものではない。ただし、本発明は、フレキシブル配線板１の厚さを薄くするために片面フレキシブル配線板であって、グラウンド層を備えない構成とする必要がある場合に特に適しており、例えば、銅箔（配線層）の厚さが２０μｍ以下のフレキシブル配線板に特に適している。
【００７５】
また、本実施形態では、携帯電話１０における制御回路基板（電子部品）１６と表示制御回路基板（電子部品）１７とをフレキシブル配線板１によって接続する構成例について説明したが、フレキシブル配線板１によって接続する電子部品はこれらに限るものではなく、他のどのような電子部品の接続に用いてもよい。例えば、携帯電話１０にカメラ（電子部品、図示せず）と、そのカメラの動作を制御する回路が組み込まれた回路基板（電子部品、図示せず）とを本体蓋部１２に備え、当該回路基板と制御回路基板１６とを、フレキシブル配線板１によってヒンジ部１３を介して接続するようにしてもよい。また、本体蓋部１２にカメラを回転または移動可能に備え、カメラを構成する電子部品とその制御回路を含む回路基板とを、フレキシブル配線板１によって接続するようにしてもよい。
【００７６】
また、本実施形態では、携帯電話１０に備えられるフレキシブル配線板１について説明したが、フレキシブル配線板１を適用する電子機器はこれに限るものではなく、電子機器全般に適用できる。ただし、本発明のフレキシブル配線板１は、電子機器における本体と本体に対して相対的に移動または回転する駆動部を有する電子機器における、駆動部を介した接続に特に適している。
【００７７】
例えば、本発明のフレキシブル配線板１は、折り畳み式携帯電話,折り畳み式ＰＨＳ（Personal Handyphone System、登録商標）,折り畳み式ＰＤＡ（Personal Digital Assistant）,折り畳み式ノートパソコンなどの折り畳み式情報端末装置などにおける駆動部に適用できる。
【００７８】
また、電話機,ＦＡＸ,無線通信装置等の通信装置、液晶ディスプレイ,プラズマディスプレイ,ＥＬディスプレイ,ＣＲＴディスプレイなどの表示装置、デジタルカメラ,ビデオカメラなどの撮影装置、コピー機,プリンタなどの印刷装置などにおける駆動部に適用することもできる。
【００７９】
また、ビデオテープやカセットテープ等の磁気テープ、フロッピー（登録商標）ディスクやハードディスク等の磁気ディスク、ＣＤ−ＲＯＭ，ＭＯ，ＭＤ，ＤＶＤ，ＣＤ−Ｒ等の光ディスク（光磁気ディスク）、ＩＣカード，光カード等のメモリカード、マスクＲＯＭ，ＥＰＲＯＭ，ＥＥＰＲＯＭ，フラッシュＲＯＭ等の半導体メモリー、などの記録再生を行う記録再生装置における駆動部に適用することもできる。例えば、磁気ディスクや光ディスク（光磁気ディスク）などの記録再生装置に備えられる、アクチュエータ、光ピックアップ装置などの記録再生装置の本体に対して相対的に移動する駆動部に設置し、本体側と駆動部側とを接続するために用いることもできる。
【００８０】
また、本実施形態では、絶縁フィルム２上に配線層のみが形成されたフレキシブル配線板１について説明したが、これに限るものではない。例えば、配線層を保護する保護層や、防湿コーティング層、防錆剤層などが形成されていてもよい。
【００８１】
また、フレキシブル配線板１は、単独で用いられてもよく、あるいは、他のフレキシブル配線板や導電性フィルムなどと組み合わせて用いてもよい。例えば、携帯電話１０において、フレキシブル配線板１を開閉動作のための回転軸、および、上記開閉方向に直交する方向に回転するための回転軸に巻き付けるように備える際、グラウンド層を備えたフィルム（フレキシブル配線板）を、フレキシブル配線板１の外側に重ね合わせて巻き付けてもよい。この場合、上記のフィルムによって、外部からの静電気や電磁波などの影響がフレキシブル配線板１に及ぶことを防止できる。また、この場合、フレキシブル配線板１と上記フィルムとは別体であるので、フレキシブル配線板１の可撓性や繰り返しの駆動に対する耐久性を損なうことがない。
【００８２】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００８３】
本発明のフレキシブル配線板は、電子機器における回路基板間の信号伝送全般に用いることができ、特に、折り畳み部や回転駆動部、水平駆動部などの駆動部を有する電子機器において、駆動部を介して回路基板間を接続するのに適している。
【００８４】
本発明のフレキシブル配線基板を適用できる電子機器としては、例えば、携帯電話,ＰＨＳ（Personal Handyphone System、登録商標）,ＰＤＡ（Personal Digital Assistant）,パソコン,電話機,ＦＡＸ等の情報端末装置、液晶ディスプレイ,プラズマディスプレイ,ＥＬディスプレイ,ＣＲＴディスプレイなどの表示装置、デジタルカメラ,ビデオカメラなどの撮影装置、コピー機,プリンタなどの印刷装置があげられる。また、ビデオテープやカセットテープ等の磁気テープ、フロッピー（登録商標）ディスクやハードディスク等の磁気ディスク、ＣＤ−ＲＯＭ，ＭＯ，ＭＤ，ＤＶＤ，ＣＤ−Ｒ等の光ディスク（光磁気ディスク）、ＩＣカード，光カード等のメモリカード、マスクＲＯＭ，ＥＰＲＯＭ，ＥＥＰＲＯＭ，フラッシュＲＯＭ等の半導体メモリー、などの記録再生を行う記録再生装置などがあげられる。
【図面の簡単な説明】
【００８５】
【図１】本発明の一実施形態にかかるフレキシブル配線板の一部を示す断面図である。
【図２】（ａ）〜（ｅ）は本発明の一実施形態にかかるフレキシブル配線板を備えた折り畳み式携帯電話の斜視図である。
【図３】図２（ａ）〜図２（ｅ）の折り畳み式携帯電話に備えられるフレキシブル配線板を示す透視斜視図である。
【図４】本発明の一実施形態にかかるフレキシブル配線板の引き伸ばした状態における平面図である。
【図５】図４に示したフレキシブル配線板の一部を拡大した平面図である。
【図６】本発明の一実施形態にかかるフレキシブル配線板の配線配置の変形例を示す断面図である。
【図７】従来のフレキシブル配線板の一例を示す断面図である。
【図８】従来の差動シリアル信号を伝送するフレキシブル配線板の一例を示す断面図である。
【図９】図６のフレキシブル配線板において伝送される信号のタイミングチャートである。
【符号の説明】
【００８６】
１    フレキシブル配線板
２    絶縁フィルム
３    電源線
４    差動データ線
５    差動データ線（第１配線）
６    グラウンド線（第３配線）
７    差動クロック線（第２配線）
８    差動クロック線
１０    携帯電話（電子機器）
１１    本体
１２    本体蓋部（駆動部）
１３    ヒンジ部（駆動部）
１６    制御回路基板（電子部品）
１７    表示制御回路基板（電子部品）
ＣＫ＋,ＣＫ−  差動クロック信号（差動信号）
Ｄ＋,Ｄ−      差動データ信号（差動信号）
【図１】
2006041193.tif 000003
【図２】
2006041193.tif 000004
【図３】
2006041193.tif 000005
【図４】
2006041193.tif 000006
【図５】
2006041193.tif 000007
【図６】
2006041193.tif 000008
【図７】
2006041193.tif 000009
【図８】
2006041193.tif 000010
【図９】
2006041193.tif 000011